(57)【要約】【課題】映像コンテンツの配信者が、配信時に、配信する映像コンテンツの内容にマッチするよう、提示する情報を付加・変更して、視聴者に配信者の意図する情報を提示する。【解決手段】コンテンツ連動型情報提示サーバを設け、該サーバは、コンテンツ提供事業者から放送された映像コンテンツに含まれるメタ情報を取得し、メタ情報を元にキーワード検索し、ヒットしたキーワードに関連が深く映像コンテンツの配信事業者が指定する情報へのリンク情報を埋め込んだ画面を構成し、配信する。【選択図】  図１
2008160337.tif 000002
【特許請求の範囲】
【請求項１】
コンテンツ提示装置であって、
予め定めたキーワードと付加情報を関連付けて記憶した記憶手段と、
コンテンツデータと、該コンテンツデータに対応したメタ情報データとを受信する受信手段と、
前記受信手段にて受信したメタ情報データに対して前記記憶手段に記憶されたキーワードを検索し、前記メタ情報データ内に存在したキーワードに関連付けられた付加情報を抽出する抽出手段と、
前記受信手段によって受信したコンテンツデータと、前記抽出手段によって抽出された付加情報とをもとに、コンテンツ視聴画面情報を作成する画面情報作成手段と、
前記画面情報作成手段によって作成したコンテンツ視聴画面情報をネットワークに送信する送信手段と、
を備えたことを特徴とするコンテンツ提示装置。
【請求項２】
請求項１に記載のコンテンツ提示装置であって、
さらに、予め定めた前記付加情報間の優先順位を記憶した第二の記憶手段と、
前記第二の記憶手段に記憶された前記優先順位に従って、前記抽出手段により得られた付加情報に優先順位を付ける優先順位付与手段と、
を備えたことを特徴とするコンテンツ提示装置。
【請求項３】
請求項２に記載のコンテンツ提示装置であって、
さらに、コンテンツデータと、該コンテンツデータに対応したメタ情報データとを記憶する第三の記憶手段と、
前記第三の記憶手段に記憶されたメタ情報データに対して前記第一の記憶手段に記憶されたキーワードを検索し、前記メタ情報データ内に存在したキーワードに関連付けられた付加情報を抽出する抽出手段と、
前記第三の記憶手段に記憶されたコンテンツデータと、前記優先順位付与手段によって優先順位をつけた付加情報とをもとに、コンテンツ視聴画面情報を作成する画面情報作成手段と、
視聴端末からの送信要求に応じて、前記画面情報作成手段によって作成したコンテンツ視聴画面情報をネットワークに送信する送信手段と、
を備えたことを特徴とするコンテンツ提示装置。
【請求項４】
モバイル端末向けのコンテンツ提示装置であって、
予め定めたキーワードと付加情報を関連付けて記憶した記憶手段と、
コンテンツデータと、該コンテンツデータに対応したメタ情報データとを受信する受信手段と、
前記受信手段にて受信したメタ情報データに対して前記記憶手段に記憶されたキーワードを検索し、前記メタ情報データ内に存在したキーワードに関連付けられた付加情報を抽出する抽出手段と、
前記受信手段によって受信したコンテンツデータと、前記抽出手段によって抽出された付加情報とをもとに、モバイル端末向けコンテンツ視聴画面情報を作成する画面情報作成手段と、
前記画面情報作成手段によって作成したモバイル端末向けコンテンツ視聴画面情報をモバイル端末向けに送信する送信手段と、
を備えたことを特徴とするコンテンツ提示装置。
【請求項５】
請求項４に記載のコンテンツ提示装置であって、
予め定めた前記付加情報間の優先順位を記憶した第二の記憶手段と、
前記第二の記憶手段に記憶された前記優先順位に従って、前記抽出手段により得られた付加情報に優先順位を付ける優先順位付与手段と、
前記受信手段によって受信したコンテンツデータと、前記優先順位付与手段によって優先順位をつけた付加情報とをもとに、モバイル端末向けコンテンツ視聴画面情報を作成する画面情報作成手段と、
前記画面情報作成手段によって作成したモバイル端末向けコンテンツ視聴画面情報をモバイル端末向けに送信する送信手段と、
を備えたことを特徴とするコンテンツ提示装置。
【請求項６】
請求項５に記載のコンテンツ提示装置であって、
コンテンツデータと、該コンテンツデータに対応したメタ情報データとを記憶する第三の記憶手段と、
前記第三の記憶手段に記憶されたメタ情報データに対して前記記憶手段に記憶されたキーワードを検索し、前記メタ情報データ内に存在したキーワードに関連付けられた付加情報を抽出する抽出手段と、
前記第三の記憶手段に記憶されたコンテンツデータと、前記優先順位付与手段によって優先順位をつけた付加情報とをもとに、モバイル端末向けコンテンツ視聴画面情報を作成する画面情報作成手段と、
視聴端末からの送信要求に応じて、前記画面情報作成手段によって作成したモバイル端末向けコンテンツ視聴画面情報をモバイル端末向けに送信する送信手段と、
を備えたことを特徴とするコンテンツ提示装置。
【請求項７】
コンテンツ提示方法であって、
予め定めたキーワードと付加情報を関連付けて記憶手段に記憶するステップと、
コンテンツデータと、該コンテンツデータに対応したメタ情報データとを受信手段を通じて受信するステップと、
前記受信手段にて受信したメタ情報データに対して前記記憶手段に記憶されたキーワードを検索し、前記メタ情報データ内に存在したキーワードに関連付けられた付加情報を抽出する付加情報抽出ステップと、
前記受信手段によって受信したコンテンツデータと、前記付加情報抽出ステップによって抽出された付加情報とをもとに、コンテンツ視聴画面情報を作成する画面情報作成ステップと、
前記画面情報作成ステップによって作成したコンテンツ視聴画面情報をネットワークに送信する送信ステップと、
を実行することを特徴とするコンテンツ提示方法。
【発明の詳細な説明】
【技術分野】
【０００１】
本発明は、ネットワークを介してコンテンツを提示する技術に関する。
【背景技術】
【０００２】
テレビジョン放送波や、その他ネットワークなどを介して、映像コンテンツを視聴装置に対して伝送する際に、映像データと、映像データに付随するメタ情報とを合成して伝送する技術が、特許文献１に記載されている。
【０００３】
ここで、映像コンテンツとは、映像データとメタ情報から構成され、映像データは視聴画面を通じて視聴者が見る番組や映像の内容およびそれを記録したデジタルまたはアナログのデータを指し、メタ情報とは映像コンテンツに付随する映像の説明や上映時間などの関連情報を指すものとする。
【０００４】
該技術においては、配信する映像データにメタ情報を合成させて一つの映像コンテンツとして伝送し、これを受信した視聴装置にて、合成されたデータから映像データを抜き出して表示・再生し、残るメタ情報を別に表示・再生するという方法をとっている。
【０００５】
例えば、ＥＰＧ（Electronic Program Guide）では、映像データとＥＰＧデータとを別に配信する。上記特許文献１に記載の発明では、各データを合成して一つのデータとして配信する点に特徴を見出せる。
【０００６】
本願では、映像コンテンツ（映像データとメタ情報）を作成し放送に供する者（番組制作局など）をコンテンツ供給者、コンテンツ供給者が供給した映像コンテンツを二次的に配信する者をコンテンツ配信者と呼ぶこととする。
【０００７】
【特許文献１】特表２００４−５１９８９３号公報
【発明の開示】
【発明が解決しようとする課題】
【０００８】
しかしながら、上記特許文献１に記載の発明では、映像コンテンツの配信をコンテンツ配信者が行う場合に、その配信者が提示したい情報を付加することができないために、配信者が意図する情報を視聴者に提示することができない。
【０００９】
例えば、ニュースの映像データ供給者（番組制作局や放送局など）がメタ情報（ＥＰＧ）を映像コンテンツ内に合成させて視聴装置（テレビジョン受信装置など）へ配信することは、上記技術を用いて可能となる。
【００１０】
しかし、このようなニュースの映像コンテンツを二次的に配信するコンテンツ配信者が、映像コンテンツのジャンルや内容に合わせて自社商品のコマーシャル広告や関連情報を組み合わせて提供したい場合には、コンテンツ供給者が供給を開始する前に、コンテンツ供給者に対してニュースの内容を事前に教示してもらい、内容に合致するコマーシャル広告映像を作成するなどの準備が必要となる。
【００１１】
例えば、自社金融商品購入の動機付け、または顧客満足度向上などを目的として、該ニュース（のうちの金融・ビジネス情報）を視聴者に参照させたい金融機関などの映像コンテンツの配信者がいるとする。映像コンテンツと関連の深い自社商品の情報を、映像コンテンツと同一の視聴画面上に表示させるようにする場合には、その映像コンテンツの内容を提供前に教示してもらう必要がある。
【００１２】
だが実際には、ニュースという情報鮮度の高い放送内容に対して上記準備作業を事前に行うことは時間的な制約があり、また準備にかかる負荷も高いため、困難である。
【００１３】
本発明は、このような従来の課題に着目してなされたものである。
【００１４】
本発明は、映像等コンテンツの配信者が、配信時に、事前に用意しておいた自社商品の広告などの付加情報から、配信する映像コンテンツの内容に合うものを抽出して、該映像コンテンツとともに構成した視聴画面を作成し、視聴者に提示したい情報を提示することを目的とする。
【課題を解決するための手段】
【００１５】
上記課題を解決する手段として、
予め定めたキーワードと付加情報と優先順位を関連付けて記憶し、
放送された映像データと、該映像データに対応したメタ情報データとをもとに、
メタ情報データに対してキーワードを検索し、付加情報を抽出し、
前記優先順位に従って付加情報に優先順位を付け、
映像データと、優先順位をつけた付加情報とをもとに、コンテンツ視聴画面情報を作成し、
視聴端末からの送信要求に応じて、コンテンツ視聴画面情報を送信する、
ことを特徴とするコンテンツ提示装置を備えた。
【発明の効果】
【００１６】
本発明によれば、映像等コンテンツの配信者が、配信時に、事前に用意しておいた自社商品の広告などの付加情報から、配信するコンテンツの内容に合うものを抽出して、該コンテンツとともに構成した視聴画面を作成し、視聴者に提示したい情報を提示することができる。
【発明を実施するための最良の形態】
【００１７】
以下に、本発明の第1の実施形態について、図１〜図１２を用いて説明する。
【００１８】
図１は、本発明の実施の第1の実施形態であるコンテンツ配信システムの構成を示す図である。
【００１９】
本実施形態では、コンテンツを配信する配信事業者の拠点１と、コンテンツ配信事業者にコンテンツを提供するコンテンツ提供事業者の拠点２とが存在するものとする。また、これら拠点間はネットワーク３を通じて接続されているものとする。本実施形態ではネットワーク３は、通信方式としてＩＰアドレスを使用するＩＰネットワークであるが、これに限らず、放送波などによる放送ネットワークであってもよいし、これらの複合であってもよい。
【００２０】
その他、家庭などに存在し、視聴者が視聴を行う際に使用するパソコン、携帯端末などの視聴端末５０と、放送視聴を行う際に使用するテレビジョン受像装置７０などの装置を備える。これらは、公衆回線などを通じてＩＰネットワーク４、もしくは放送波を利用したネットワーク６に接続されている。
【００２１】
さらに、ネットワーク３は、視聴端末５０が接続されているＩＰネットワーク４と、テレビジョン受像装置７０が接続されている放送ネットワーク６と、に接続されている。
【００２２】
これらのネットワークを介して、視聴端末５０と、テレビジョン受像装置７０は、配信事業者の拠点１とコンテンツ提供事業者の拠点２と通信を行い、視聴を行うことができる。
【００２３】
配信事業者の拠点１には、ネットワーク機器（図示せず）を介してネットワーク３と接続されたネットワーク１０が敷設されている。
【００２４】
ネットワーク１０には、コンテンツを配信する役割を担うコンテンツ連動型情報提示サーバ１１と、コンテンツに付加する情報をメンテナンスする役割を担う付加情報登録サーバ１２とが接続されており、コンテンツ連動型情報提示サーバ１１には、付加する情報と映像コンテンツとを記憶する記憶装置１３が接続される。
【００２５】
コンテンツ提供事業者の拠点２には、ネットワーク機器（図示せず）を介してネットワーク３と接続されたローカルネットワーク２０が敷設されている。
【００２６】
ローカルネットワーク２０には、映像コンテンツ送出装置２１と、記憶装置２２とが接続される。
【００２７】
記憶装置２２は、本実施例ではローカルネットワーク２０を介して映像コンテンツ送出装置２１と接続されているが、ローカルネットワーク２０を介さずに映像コンテンツ送出装置２１と接続されてもよい。
【００２８】
コンテンツ連動型情報提示サーバ１１は、図２に示すように、プロセッサ１１１と、主記憶装置１１２と、ローカルネットワーク１０に接続するための通信インタフェース１１３と、記憶装置１３と、を有して構成される。
【００２９】
プロセッサ１１１は、機能部として、映像コンテンツを入力として受け取る映像コンテンツ入力部１１１１と、受け取った映像コンテンツを記憶する映像コンテンツ記憶処理部１１１２と、付加情報をリンク情報に従って取得する付加情報取得部１１１３と、取得した付加情報を記憶する付加情報記憶処理部１１１４と、映像コンテンツと付加情報とから、配信する画面を作成する配信画面作成部１１１５と、作成した配信画面を送信するなど、出力を行う配信画面出力部１１１６と、を備える。
【００３０】
プロセッサ１１１が主記憶装置１１２に展開された命令コードを実行することで、これらの機能部は実現される。
【００３１】
また、記憶装置１３は、映像コンテンツ記憶領域１３１と、付加情報記憶領域１３２と、記憶した付加情報とキーワードとを紐付けて記録するための付加情報対応表１３３と、複数のキーワードを含む映像コンテンツを配信する場合に、提示する付加情報を選択する際の優先度を記録した付加情報優先度表１３４と、を記憶している。
【００３２】
記憶装置１３に記憶されている映像コンテンツ記憶領域１３１は、図３に示すようなデータ構造で映像コンテンツを記憶する。すなわち、番組あるいはその１コーナー単位などの単位で映像コンテンツにつき１レコードを記憶し、各レコードは、映像コンテンツを識別することができる映像コンテンツ記憶番号１３１１と、映像コンテンツの名前を記録する映像コンテンツ名１３１２と、を記録する単位となる。
【００３３】
記憶装置１３に記憶されている付加情報記憶領域１３２は、図４に示すようなデータ構造で付加情報を記憶する。すなわち、付加情報１つにつき１レコードを記憶し、各レコードは、付加情報を識別することができる付加情報整理番号１３２１と、付加情報のＵＲＩ（Uniform Resource Identifier）を記録する付加情報リンク情報１３２２と、を記録する単位となる。
【００３４】
記憶装置１３に記憶されている付加情報対応表１３３は、たとえば図５に示すようなデータ構造で付加情報対応情報を記憶する。すなわち、キーワード１つにつき１レコードを記憶し、各レコードには、キーワード１３３１とともに、これに関連する付加情報整理番号を例えば３つ（１３３２、１３３３、１３３４）まで記憶させることができる。キーワードに関連付けて付加情報整理番号を記憶させた場合、関連付けられたキーワードを含むコンテンツを配信する場合に、付加情報整理番号に指定した付加情報が提示される。
【００３５】
記憶装置１３に記憶されている付加情報記憶領域１３４は、図６に示すようなデータ構造で付加情報の提示優先度を記憶する。すなわち、付加情報整理番号１つにつき１レコードを記憶し、各レコードは、付加情報を識別することができる付加情報整理番号１３４１と、付加情報間での相対的な優先度を記録する優先度１３４２とを記録する単位となる。
【００３６】
次に、図７を用いて、付加情報登録サーバ１２の構成について説明する。
【００３７】
付加情報登録サーバ１２は、図７に示すように、プロセッサ１２１と、キーボードやマウスなどの入力操作装置１２２と、ディスプレイ画面などの出力表示装置１２３と、ローカルネットワーク２０に接続するためのネットワークインタフェースなどの通信インタフェース１２４と、主記憶装置１２５と、を有して構成される。
【００３８】
プロセッサ１２１は、機能部として、ユーザが入力操作装置１２２を操作して入力した内容を受け付ける入力受付部１２１１と、受け取った入力をもとに、キーワードを編集するキーワード管理部１２１２と、付加情報を編集する付加情報管理部１２１３と、画面などの出力表示装置に情報を出力する出力部１２１４と、を備える。
【００３９】
プロセッサ１２１が主記憶装置１２５に展開された命令コードを実行することで、これらの機能部は実現される。
【００４０】
次に、本実施形態のコンテンツ配信システムの第1の実施形態の動作について、図８を用いて説明する。
【００４１】
まず、本実施形態のコンテンツ配信システムの動作の概要を説明する。
【００４２】
本実施形態のコンテンツ配信システムは、コンテンツ提供事業者がその拠点２から、記憶装置２２に記憶されているメタ情報を含む映像コンテンツを映像コンテンツ送出装置２１によって送出すること、をトリガーとして動作する。
【００４３】
この映像コンテンツを受信すると、配信事業者の拠点１に配備したコンテンツ連動型情報提示サーバ１１は、該映像コンテンツに含まれるメタ情報を走査してキーワードを抽出し、キーワードに紐付けられた付加情報を付加して視聴画面を作成し、コンテンツ連動型情報提示サーバ１１からネットワーク３へ逐次送信する。
【００４４】
これを、該映像コンテンツが終了するまで、送出の速度にあわせて、繰り返し実施する。（放送局などコンテンツ提供事業者が送信した映像コンテンツより若干のタイムラグが発生するが、これをライブ配信と呼ぶ。）
視聴端末５０や、テレビジョン受像装置７０にて、ライブ配信された視聴画面を受信し、映像として再生することで、視聴者は、映像コンテンツと、それに関連する付加情報を視聴することができる。
【００４５】
以上が、第1の実施形態の動作の概要である。
【００４６】
次に、第1の実施形態の動作の詳細について、図８のフローチャートをもとにして、以下に説明する。
【００４７】
コンテンツ提供事業者が、その拠点２に配備された記憶装置２２に予め記憶されたメタ情報を含む映像コンテンツを、映像コンテンツ送出装置２１を用いて送出すると、該送出された映像コンテンツは、ローカルネットワーク２０を通り、ネットワーク３にデータとして流される。なお、ここでは、映像データとメタ情報を同時に送出する例を記載しているが、これに制限されず、別に送出してもよい。
【００４８】
配信事業者の拠点１に配備されたコンテンツ連動型情報提示サーバ１１では、通信インタフェース１１３を介して受け取った該データを、映像コンテンツ入力部１１１１が受信する。
【００４９】
映像コンテンツ入力部１１１１は、受信した映像コンテンツを走査して、メタ情報と呼ばれるタグなどによりマークアップされた情報を抜き出す。なお、本実施形態では、メタ情報の記述方式はＢＭＬ（Broadcast Markup Language）などを想定しているが、その他ＸＭＬ（Extensible Markup Language）などのマークアップ言語などを用いた記述方式等であってもよい。
【００５０】
あわせて、映像コンテンツ記憶処理部１１１２は、抜き出されたメタ情報と、映像コンテンツの映像データ部分とを、主記憶装置１１２上に記憶する（ステップＳ００１）。
【００５１】
次に、配信画面作成部１１１５は、主記憶装置１１２に記憶されたメタ情報に対して、文字列検索などの方法を用いて、付加情報対応表１３３に記録されたキーワード１３３１の有無を調べ、一致するキーワード１３３１をリストアップする（ステップＳ００２）。
【００５２】
続いて、配信画面作成部１１１５は、付加情報対応表１３３から、ステップＳ００２にてリストアップされたキーワード１３３１と紐付く付加情報整理番号１３３２〜１３３４をリストアップする（ステップＳ００３）。またこれをステップＳ００２にてリストアップされたキーワード１３３１すべてについて実施する（ステップＳ００４）。
【００５３】
次に、配信画面作成部１１１５は、ステップＳ００３、Ｓ００４にてリストアップされた付加情報整理番号１３３２〜１３３４を、付加情報優先度表１３４に記録された付加情報整理番号１３４１を参照して、該当する優先度１３４２を取得し、この優先度に従って並べ替える。
【００５４】
配信画面作成部１１１５は、リスト上で並べ替えた付加情報整理番号１３３２〜１３３４を対象として、付加情報記憶領域１３２を参照して、該当する付加情報リンク情報１３２２に置き換える（ステップＳ００５）。
【００５５】
配信画面作成部１１１５は、ステップＳ００５で置き換えたことによって得られた付加情報リンク情報１３２２のリストをもとに、画面出力するための視聴画面の雛形（図示せず）の付加情報表示欄に、優先度に従って付加情報リンク情報１３２２から取得したリンクを埋め込む。
【００５６】
本実施形態では、付加情報リンク情報１３２２はＵＲＩで表現されており、これを付加情報表示用の画面レイアウト上に順次配置することで埋め込みを行う（ステップＳ００６）。
【００５７】
または、配信画面作成部１１１５は、ＵＲＩを配置する代わりに、ＵＲＩによりアクセスできるコンテンツ（例えばテキストや画像や動画、ＨＴＭＬ文書など）を取得して、配置してもよい。
【００５８】
この場合、上記ＵＲＩによりアクセスできるコンテンツを取得するために、配信画面作成部１１１５は、付加情報取得部１１１３に処理を委譲し、付加情報取得部１１１３はＵＲＩにより示されるコンテンツを取得し、付加情報取得部１１１３によって取得した付加情報を付加情報記憶処理部１１１４に依頼して記憶し、配置する。
【００５９】
次に、配信画面作成部１１１５は、ステップＳ００１にて受信した映像コンテンツを画面レイアウト上の指定位置に埋め込み、画面作成を行う（ステップＳ００７）。
【００６０】
配信画面出力部１１１６は、ステップＳ００７により完成した画面を通信インタフェース１１３を通じて視聴端末５０やテレビジョン受像装置７０に対して送信する（ステップＳ００８）または、該画面を送信する前に、視聴端末５０がモバイル装置端末、例えば携帯電話装置やＰＤＡ（Personal Digital Assistants）などであった場合を考慮して、既存のコンテンツ変換技術などを用いてモバイル装置端末向けの画面構成に作り変えてから、モバイル装置端末に対して送信する仕組みとしてもよい。
【００６１】
上記ステップＳ００１〜Ｓ００８を、映像コンテンツが終了するまで繰り返し実行し映像を送信することで、ライブ配信される情報に対して、映像コンテンツの配信者が、配信時に、配信する映像コンテンツの内容にマッチするよう、提示する情報を付加・変更して、視聴者に配信者の意図する情報を提示することが実現できる。
【００６２】
視聴端末５０や、テレビジョン受像装置７０にて、上記のステップＳ００１〜Ｓ００９を通じて作成され、送出された（ライブ配信された）視聴画面を受信し、映像として再生することで、視聴者は、映像コンテンツと、それに関連する付加情報を視聴することができる。
【００６３】
図９に示す画面イメージ７１は、コンテンツ配信事業者のコンテンツ連動型情報提示サーバ１１によって配信された視聴画面を、視聴端末５０あるいはテレビジョン受像装置７０で受信し、表示させたイメージ例である。
【００６４】
画面イメージ７１は、映像コンテンツ画面７２、リンク表示領域７３を含んで構成される。画面イメージ７１は、図８のステップＳ００７にて作成された画面であり、映像コンテンツ画面７２には、コンテンツ提供事業者の映像コンテンツ送出装置２１から放出された映像コンテンツを埋め込んでいる（図９ではニュース画像が表示されている）。リンク表示領域７３には、優先度順に並べられたリンク情報を画面上部から下部に向かってＵＲＩリンクとして埋め込んでいる。
【００６５】
図９の画面のうち、視聴者が操作装置を用いてリンク１を選択するよう操作すると、図９の画面が図１０に示す画面に切り替わり、表示される。
【００６６】
図１０には、図９の画面にあったリンク１が示すＵＲＩにアクセスした際に得られる画面イメージ７５を示している。
【００６７】
画面イメージ７５は、映像コンテンツ画面７６（関連金融商品映像情報）、関連情報画面７７（関連金融商品ＷＥＢ情報）を有して構成しているが、この画面構成は例示であり、この構成で画面が必ず表示されるわけではなく、単に映像コンテンツ画面７６のような動的情報画面や関連情報画面７７のような静的情報画面を表示させるだけであってもよいし、映像コンテンツ画面７２と、映像コンテンツ画面７６と、関連情報画面７７と、を同一の画面に表示させてもよい。
【００６８】
また、同様に、視聴端末５０が携帯電話装置などのモバイル装置であった場合の画面イメージを図１１、１２に示す。
【００６９】
図１１は、図９と同様に、映像コンテンツ画面９２と、リンク表示領域９３と、を含む画面イメージ９１を表示させた例であり、画面表示領域のサイズの制限から映像コンテンツ画面９２とリンク表示領域９３を縦に配列している。
【００７０】
図１２は、図１０と同様に、映像コンテンツ画面９６（関連スポーツ商品映像情報）、関連情報画面９７（関連スポーツ商品ＷＥＢ情報）を含む画面イメージ９５を表示させた例である。
【００７１】
ここから、上記に記載されたコンテンツの配信システムのうち、配信する付加情報を決定する際に用いられるキーワードの管理や優先度の管理に使用するメンテナンス機能について、説明を加える。
【００７２】
本実施形態のキーワードの管理と優先度の管理については、付加情報登録サーバ１２がその機能を提供する。
【００７３】
図１３のフローチャートを用いて、その管理の処理の流れを説明する。
【００７４】
付加情報登録サーバ１２のプロセッサ１２１に備えられた入力受付部１２１１は、入力操作装置１２２からメニュー表示要求を受け付けると、キーワード管理メニュー画面を構成し、出力部１２１４にキーワード管理メニュー画面の表示を依頼する。出力部１２１４は、メニュー画面を出力表示装置１２３に出力することで、画面を表示させる（ステップＳ２００）。
【００７５】
ステップＳ２００により出力表示装置１２３上に表示されたキーワード管理メニュー画面上で入力された内容を入力操作装置１２２を介して受付けた入力受付部１２１１は、入力された内容を主記憶装置１２５などの記憶装置に記憶させる（ステップＳ２０１）。
【００７６】
入力受付部１２１１は、入力された内容がキーワード設定表示であれば（ステップＳ２０２で「Ｙ」）、キーワード設定を一覧表示する（ステップＳ２０３）。そうでない場合には（ステップＳ２０２で「Ｎ」）、ステップＳ２０３の処理をスキップする。
【００７７】
具体的には、ステップＳ２０３にて、キーワード管理部１２１２は、通信インタフェース１２４を介してネットワーク１０上に接続されているコンテンツ連動型情報提示サーバ１１に付属している記憶装置１３にアクセスし、記憶装置１３に記憶されている付加情報対応表１３３を読み込み、キーワード欄１３３１を一定の順序（５０音順など）で並べ替え、付加情報整理番号１３３２〜１３３４とともにリストアップする。
【００７８】
リストアップしたキーワードを出力部１２１４が出力表示装置１２３へ出力する。
【００７９】
続いて、入力受付部１２１１は、入力された内容がキーワードの管理であれば（ステップＳ２０４で「Ｙ」）、キーワードを選択して編集する、新規に追加する、または削除することができる操作画面を表示し、続いて入力受付部１２１１で受け付けた操作を実行する（ステップＳ２０５）。キーワードの管理でない場合には（ステップＳ２０４で「Ｎ」）、ステップＳ２０５の処理をスキップする。
【００８０】
具体的には、ステップＳ２０５にて、キーワード管理部１２１２は記憶装置１３に記憶されている付加情報対応表１３３を読み込み、キーワード欄１３３１を一定の順序（５０音順など）で並べ替え、付加情報整理番号１３３２〜１３３４とともにリストアップする。
【００８１】
リストアップしたキーワードを出力部１２１４が出力表示装置１２３へ出力する（ステップＳ２０３とほぼ同一）。その後、選択入力されたキーワードに対する編集を受け付けて付加情報対応表１３３の編集を実施するか、新規のキーワードを入力受付し、付加情報対応表１３３に追加する。または、選択入力されたキーワードに対する削除指示を受け付けて付加情報対応表１３３から該当するキーワード１３３１および付加情報整理番号１３３２〜１３３４を削除する。
【００８２】
次に、入力受付部１２１１は、入力された内容が付加情報の管理であれば（ステップＳ２０６で「Ｙ」）、付加情報を選択して編集する、新規に追加する、または既存の付加情報を削除することができる操作画面を表示し、続いてユーザが指定する編集を実行する（ステップＳ２０７）。付加情報の管理でない場合には（ステップＳ２０６で「Ｎ」）、ステップＳ２０７の処理をスキップする。
【００８３】
具体的には、ステップＳ２０７にて、付加情報管理部１２１３は記憶装置１３に記憶されている付加情報記憶領域１３２と付加情報優先度表１３４を読み込み、付加情報整理番号１３２１の順など一定の順序（５０音順など）で付加情報リンク情報１３２２を並べ替え、対応する付加情報優先度１３４２とともにリストアップする。
【００８４】
出力部１２１４はリストアップした付加情報リンク情報１３２２と付加情報優先度１３４２とを出力表示装置１２３へ出力する。その後、選択入力された付加情報リンク情報に対する編集を受け付けて付加情報記憶領域１３２と付加情報優先度表１３４の編集を実施するか、新規の付加情報を入力受付し、付加情報記憶領域１３２と付加情報優先度表１３４に追加する。または、選択入力された付加情報に対する削除指示を受け付けて付加情報記憶領域１３２と、付加情報対応表１３３と、付加情報優先度表１３４と、から、該当する項目のレコードを削除する。削除対象のレコードは、例えば、付加情報記憶領域１３２の付加情報整理番号１３２１と、付加情報リンク情報１３２２、および付加情報対応表１３３の付加情報整理番号１３３２〜１３３４、および付加情報優先度１３４の付加情報整理番号１３４１、優先度１３４２を対象とする。
【００８５】
さらにもしくは、付加情報リンク情報の提示優先度だけを変更することも可能である。付加情報管理部１２１３は、選択入力された付加情報に対する優先度変更の指示を受け付けて付加情報優先度表１３４の優先度１３４２の編集を実施する（ステップＳ２０７詳細）。
【００８６】
最後に、入力受付部１２１１は、入力された内容が処理の終了であれば（ステップＳ２０８で「Ｙ」）、該メンテナンス処理を終了させる。処理の終了でない場合には（ステップＳ２０８で「Ｎ」）、ステップＳ２００の処理にもどって、ステップＳ２００から再度実行する。
【００８７】
以上のように、本実施形態では、映像コンテンツ提供事業者が送出する映像コンテンツをコンテンツ配信者が備えるコンテンツ連動型情報提示サーバ１１にて受信し、映像コンテンツに含まれるメタ情報であるキーワードと関連の深い付加情報リンクを選択して視聴画面を構成し、映像コンテンツをほぼリアルタイムに再生しながら配信（ライブ配信）し、視聴者に提示することができるため、映像コンテンツ自体を改変せずに、しかも内容に応じた広告などを配信時に組み込んだ視聴画面を視聴者に届けることができる。
【００８８】
視聴者にとっては、視聴している（興味を持っている）内容と関連の深い情報を得ることができ、さらに、付加された提示情報は視聴者が信頼する配信者から提示されたリンクであるために、情報の信頼性についての懸念が少なく、安心して視聴できるリンク情報の提供を受けることができる。
【００８９】
また、本実施形態では、コンテンツ連動型情報提示サーバ１１は、コンテンツ提供事業者の映像コンテンツ送出装置２１から送信される放送を受信してリアルタイムに視聴画面を構成して配信（ライブ配信）しているが、映像コンテンツの取得方法は、これに限るものではない。
【００９０】
例えば、ファイル転送、つまり、映像コンテンツをデータファイル化したものを一括で送受信する方式を利用して、映像コンテンツ送出装置２１から映像コンテンツを入手してもよい。
【００９１】
この第２の実施形態を、図１４を用いて以下に説明する。
【００９２】
第２の実施形態では、第1の実施形態と基本的な構成は同様であるが、コンテンツ連動型情報提示サーバ１１のプロセッサ１１１に備わる映像コンテンツ記憶処理部１１１２の動作が異なる。
【００９３】
図１４に示すステップＳ１００の動作が異なる点と、ステップＳ１０１が追加されている点である。
【００９４】
ステップＳ１００は、第1の実施形態ではステップＳ００１に対応する処理である。ステップＳ１００は送出された映像を受信する処理であって、記憶装置１３の映像コンテンツ記憶処理部１１１２により、受信した映像コンテンツのデータファイルを記憶装置１３の映像コンテンツ記憶領域１３１に記憶するものである。このデータファイルそのものの記憶装置１３への記憶処理は、第1の実施形態のステップＳ００１には含まれない。この記憶装置１３への記憶処理により、第２の実施形態では、ファイル形式での映像コンテンツ受信が可能となる。
【００９５】
ステップＳ１０１は、ステップＳ１００（第1の実施形態のステップＳ００１に相当）と、ステップＳ１０２（第1の実施形態のステップＳ００２に相当）との間に実施する処理に相当する処理である。第1の実施形態では、映像コンテンツ入力部１１１１は、送出された映像コンテンツデータがネットワーク１０上を流れるのを受信し、付加情報を加えるが映像コンテンツそのものは基本的にそのまま配信するため、受信したデータをコンテンツ連動型情報提示サーバ１１にて再度再生を行う必要はなかった。しかし、第２の実施形態では、映像コンテンツ入力部１１１１は、ステップＳ１００にてファイル形式で映像コンテンツを受信するため、これを再生する必要があるためである。
【００９６】
これら２つのステップＳ１００とＳ１０１以外のステップＳ１０２〜Ｓ１０９は、基本的に第1の実施形態と同様の動作を行う。
【００９７】
この第２の実施形態の変形として、ステップＳ１０７の中で、送出する直前に視聴画面を装置１３の映像コンテンツ記憶領域１３１に記憶しておくことで、映像コンテンツのデータファイルを取得してもよい。
【００９８】
上記第２の実施形態と、第２の実施形態の変形により、配信事業者がスケジュールを決めて配信する方法と、視聴者が視聴を望むときに視聴・要求を行うと、視聴を開始することができるＶＯＤ（Video On Demand）が実現できる。
【００９９】
以上が、本発明の実施形態である。
【図面の簡単な説明】
【０１００】
【図１】本発明の第1の実施形態におけるコンテンツ配信システムの構成を示す図である。
【図２】コンテンツ連動型情報提示サーバ１１の構成を示す図である。
【図３】映像コンテンツ記憶領域１３１の構成を示す図である。
【図４】付加情報記憶領域１３２の構成を示す図である。
【図５】付加情報対応表１３３の構成を示す図である。
【図６】付加情報優先度表１３４の構成を示す図である。
【図７】付加情報登録サーバ１２の構成を示す図である。
【図８】第1の実施形態における処理手順を示すフローチャートである。
【図９】第1の実施形態における配信画面を示す図である。
【図１０】第1の実施形態における配信画面からのリンク先画面を示す図である。
【図１１】第1の実施形態における配信画面を示す図である。
【図１２】第1の実施形態における配信画面からのリンク先画面を示す図である。
【図１３】第1の実施形態におけるメンテナンス処理手順を示すフローチャートである。
【図１４】第２の実施形態における処理手順を示すフローチャートである。
【符号の説明】
【０１０１】
１：配信事業者の拠点、２：コンテンツ提供事業者の拠点、３：ネットワーク、４：ＩＰネットワーク、６：放送ネットワーク、１０：ローカルネットワーク、１１：コンテンツ連動型情報提示サーバ、１２：付加情報登録サーバ、１３：記憶装置、２０：ローカルネットワーク、２１：映像コンテンツ送出装置、２２：記憶装置
【図１】
2008160337.tif 000003
【図２】
2008160337.tif 000004
【図３】
2008160337.tif 000005
【図４】
2008160337.tif 000006
【図５】
2008160337.tif 000007
【図６】
2008160337.tif 000008
【図７】
2008160337.tif 000009
【図８】
2008160337.tif 000010
【図９】
2008160337.tif 000011
【図１０】
2008160337.tif 000012
【図１１】
2008160337.tif 000013
【図１２】
2008160337.tif 000014
【図１３】
2008160337.tif 000015
【図１４】
2008160337.tif 000016